Podtech/llm-jp-corpus-v4-ja_patent huggingface dataset:
(57)【要約】【課題】確実にランプ１３寿命を検出して保護動作させる方法を提供する。【解決手段】蛍光ランプ１３正負両方向のランプ１３電圧の差を検出して保護動作させる。ランプ１３寿命末期時の半波放電によるランプ電圧の正負のアンバランスを検出することにより、確実な検出が可能となる。【選択図】    図１
2004311366.tif 000002
【特許請求の範囲】
【請求項１】
蛍光ランプ電圧の半波を検出し、正常ランプ点灯時の検出電圧を基準とし、さらにその値の１０〜３０％を正常ランプ電圧の許容範囲とし、その値以外の検出時に、ランプ寿命と判定して、保護回路を動作させる事を特徴とする蛍光灯点灯装置。
【発明の詳細な説明】
【０００１】
【発明の属する技術分野】
本発明は、蛍光灯点灯装置のランプ寿命末期時の保護動作に関する。
【０００２】
【従来の技術】
従来のランプ寿命末期検出方式としては、ランプ電圧を全波又は倍電圧整流をして検出し、寿命時にランプ電圧が上昇する事を利用して、正常ランプ時の約１０〜３０％アップの上限値を超えるか否かを判定して保護回路を動作させる方式を採っている。
【０００３】
【発明が解決しようとする課題】
上記従来技術の寿命末期検出方式では、ランプ寿命末期時の片側のフィラメントの熱電子放出物質が消耗して放電が−方向になる、半波放電モードの状態を正確に検出出来なく、現象が有る程度進行して保護回路が動作する為、その間、フィラメントの支持ステムが半波放電による発熱で変形し、小径ランプでは、フィラメント部がランプ外壁のガラス部に接触してガラスが破損したり、フィラメントの発熱によりランプソケットや器具ソケットが焼損する現象が生じる虜がある。
そこで、確実にランプ寿命を検出して保護動作させる方法として考案した。
【０００４】
【課題を解決するための手段】
上記目的を達成するために、蛍光ランプ正負両方向のランプ電圧の差を検出して保護動作させる。ランプ寿命末期時の半波放電によるランプ電圧の正負のアンバランスを検出することにより、確実な検出が可能となる。
【０００５】
【発明の実施の形態】
本発明の実施形態を図１〜図３により説明する。一般に、蛍光ランプは使用時間と共にランプ電圧が徐々に上昇し、又、両サイドのフィラメントの熱電子放出物質（エミッタ）の消耗が進行し、先にエミッタが無くなる方のフィラメントから熱電子が放出され無くなり、エミッタが無くなった方からまだある側にランブ電流が多く流れる半波放電状態になって、正負のランプ電圧のアンバランスになり、さらに進行すると、両サイドのエミッタが無くなり、完全な両エミレス状態と呼ばれる等価的にランプ抵抗が無限大に近い状態（不点灯状態）に移行する。
ランプが正常時には、図２の（Ａ）に示すとおり、正負両方向のランプ電圧が対称であり、寿命に近づくと、先のエミッターの消耗によりランプ電流の正負のアンバランスが発生し、その方向性により、図２の（Ｂ）、（Ｄ）に示すとおりランプ電圧が片側が高く、他方が低くなる現象に成ると共に、ランプ電圧の正負両側間のピーク電圧が上昇していく。
最終的には、ランプフィイラメントの両側のエミッタが無くなり、点灯維持が出来なくなって消灯し、その際には、図１の点灯回路であるインダクタンス９と共振コンデンサー１３のＬ・Ｃ共振回路により、ランプ１２には始動電圧である大きな電圧が発生する。
【０００６】
この電圧は図２の（Ｃ）に示す通り、ランプ電圧が対称波形となりますが、このランプ寿命状態を検出する方法として、ランプ電圧を全波又は倍電圧整流回路により通常の電圧と比較し、高い場合に寿命と判断して保護回路を動作させて、インバータの発振を停止させる。ランプ寿命末期の保護に於いて、半波点灯時のランプ動作の挙動が不確定な所が多く、この状態下での保護回路が動作する迄の間に、フィラメント部分の異常発熱等が生じて種々の障害が生じる。前記の通り、半波点灯の初期段階では、ランプ電圧の正負のアンバランスが生じ、それが進行してランプ電圧値が高くなるまで従来回路では、判定が出来ない為、本案では、ランプ電圧のアンバランスを検出する保護動作としている。
【０００６】
図１にその一実施例の回路を示す。電子安定器の回路構成は、商用電源１よりフィルター回路２を経由して、全波整流回路３で整流し、アクティブフィルター回路４により直流電圧を作り、これを電源として、目励又は他励発振インバータ回路５〜９、１３〜１４、により蛍光ランプ１３を点灯する。ランプ電圧は抵抗１８，１１で分圧検出して整流一ダイオード１０で半波整流をし、コンデンサー１５で平滑する。正常ランプ時には、図３のＶＬに示すレベルの検出電圧が制御回路１６に入力される。このレベルＶＬに対して、ランプ電圧の製品バラツキや、蛍光ランプの周囲温度又は調光等によるランプ電圧変動を加味して、標準値の１０〜３０％の幅内に検出電圧が有る場合には、ランプは正常と判断する。ランプが寿命状態に成り、半波点灯状態に移行すると、図２の（Ｂ）の場合は、正方向の電圧が上昇する為、検出電圧が上昇し、ＶＬの上限値ＶＡを越え、ＶＣと成り、制御回路１６が異常と判定して発振を停止する。逆に、負側の電圧が上昇する図２の（Ｄ）モードでは、正側の検出電圧が低下する為、検出電圧は図３のＶＬの下限値ＶＢ以下のＶＤとなり幅外となる事を検出回路１６が動作して発振を停止する。
この事により、半波放電が進行する前段階で検出停止する為、ランプフィラメント部分の異常発熱等の障害発生を防止できる。又、所定の幅外を異常と判定する為、ランプ線が短絡した場合には検出電圧が低下し、図３のＶＥに示すとおりゼロ近くに成る為、検出回路が異常と判定して発振を停止する為、同一回路によって、短絡保護も可能となる。
【０００７】
【発明の効果】
本発明によれば、所定幅内の検出レベル以外の領域をランプ寿命と判定することにより初期の半波点灯状態の異常を早く検出することが出来る。
【図面の簡単な説明】
【図１】本発明装置の回路図である。
【図２】そのランプ電圧の寿命に至る各モード波形を示す波形図である。その中の（Ａ）は正常ランプ電圧波形、（Ｂ）（Ｄ）は半波点灯モード時のランプ電圧波形、（Ｃ）は両エミレス状態のランプ電圧波形を示す。
【図３】ランプ電圧検出回路の検出レベルを示すもので、ＶＬは正常ランプ点灯時の検出値、ＶＡ・ＶＢはランプ電圧のバラツキの上下限レベルで、斜線内に検出レベルがあれば正常と判定する。また、ＶＣ・ＶＤは半波点灯状態、ＶＣも同様に両エミ状態のレベルを示す。さらに、ＶＥはランプ線短絡時の検出レベルを示す。
【図１】
2004311366.tif 000003
【図２】
2004311366.tif 000004
【図３】
2004311366.tif 000005
(57)【要約】【課題】簡便かつ確実に定格の異なる数種類の放電灯４３を、それぞれの定格のランプ電流を流し、定格の明るさで点灯させる。【解決手段】直流電源１０を備える。順直列一対のスイッチング素子２１・２２を含むスイッチング回路を備える。前記直流電源１０・スイッチング回路を並列に接続する。前記各スイッチング素子２１¢２２と逆並列に接続するフライホイールダイオード２３・２４を備える。前記各スイッチング素子２１・２２を交互にオンオフするように駆動する駆動回路３０を備える。前記スイッチング素子２２と並列に放電灯４３・バラスト用インダクタ４１・共振用コンデンサ４２・コンデンサ４４を直列に含む点灯回路４０を接続する。前記放電灯４３の点灯直後のランプ電圧を検出するランプ電圧検出回路３１と、この検出電圧を元に放電灯４３の定格を特定するランプ判定回路３２を備える。【選択図】    図１
2004311367.tif 000002
【特許請求の範囲】
【請求項１】
直流電源を備え、順直列一対のスイッチング素子を含むスイッチング回路を備え、前記直流電源・スイッチング回路を並列に接続し、前記各スイッチング素子と逆並列に接続するフライホイールダイオードを備え、前記各スイッチング素子を交互にオンオフするように駆動する駆動回路を備え、前記スイッチング素子と並列に放電灯バラスト用インダクタ・共振用コンデンサ・コンデンサを直列に含む点灯回路を接続し、前記放電灯の点灯直後のランプ電圧を検出するランプ電圧検出回路と、この検出電圧を元に放電灯の定格を特定するランプ判定回路を備えることを特徴とする放電灯点灯装置。
【発明の詳細な説明】
【０００１】
【産業上の利用分野】
本発明は放電灯点灯装置における、ランプの出力制御に関する。
【０００２】
【従来の技術】
従来装置の回路図を図２に示す。図２は一般的に知られるハーフブリッジ回路の例である。このインバータ装置は、直流電源１０の両端に直列接続された、スイッチング素子２１・２２を駆動回路３０にて交互にオンオフしてスイッチング素子２２の両端に接続された放電灯４３を含む点灯回路４０に高周波電力を供給するものである。駆動回路３０は電源が投入されるとまず、設定された予熱周波、数にてスイッチング素子２１・２２を駆動し、放電灯４３のフィラメントを予熱する。診定時間が経過した後、駆動回路３０はスイッチング素子２１・２２を駆動する発振周波数を設定された始動（点灯）周波数へと切り替える。このためバラスト用インダクタ４１、補助コンデンサ４２の共振が強まり、放電灯４３へ高電圧が印可され、放電灯４３が点灯し、放電灯４３には所定のランプ電流が流れる。
【０００３】
【発明が解決しようとする課題】
上記従来技術は、ある特定の定格の放電灯を点灯させた場合の明るさが所定の明るさとなるランプ電流が流れるよう始動（点灯）周波数が設定されている。始動（点灯）周波数は一定値のため、放電灯点灯装置の適合放電灯であっても、先に設定した特定の放電灯の定格とは異なる放電灯を点灯させた場合は、その放電灯の定格のランプ電流を流すことができず、定格の明るさにならないという問題があった。本発明の目的は簡便に確実に定格の異なる数種類の放電灯を、それぞれの定格のランプ電流を流し、定格の明るさで点灯させることにある。
【０００４】
【課題を解決するための手段】
蛍光ランプは種類の異なる夫々のランプ毎に点灯中のランプ電圧が異なる特性を持っている。そこで上記目的を達成するために、本発明はランプ電圧をランプ電圧検出回路３１にて検出し、ランプ判定回路３２にて放電灯の判定をする構成としている。
点灯直後の放電灯のランプ電圧をランプ電圧検出回路３１にて検出し、このランプ電圧値はどの定格の放電灯かをランプ判定回路３２にて判定する。ランプ判定回路３２は判定を行った放電灯に定格のランプ電流が流れるよう、駆動回路３０の点灯周波数の設定を切り替え、放電灯は定格の明るさで点灯をすることができる。
【０００５】
【発明の実施の形態】
以下本発明の実施形態を図１により説明する。図１に示すよう直流電源１０に順直列一対のスイッチング素子２１、２２が接続され前記スイッチング素子２１、２２には逆並列にフライホイールダイオード２３、２４が接続されている。前記スイッチング素子２１、２２は駆動回路３Ａこより交互にオンオフするよう制御される。放電灯４３、バラスト用インダクタ４１、共振用コンデンサ４２、コンデンサ４４を含む点灯回路４０がスイッチング素子２２と並列に接続されている。また点灯回路４０には放電灯４３のランプ電圧を検出するランプ電圧検出回路３１が接続されている。
駆動回路３０は電源が投入されるとまず、設定された予熱周波数にてスイッチング素子２１・２２を駆動し、放電灯４３のフィラメントを予熱する。一定時間が経過した後、駆動回路３０はスイッチング素子２１・２２を駆動する発振周波数を設定された始動周波数へと切り替える。このためバラスト用インダクタ４１、共振用コンデンサ４２の共振が強まり、放電灯４３へ高電圧が印可され、放電灯４３が点灯する。
ここで、放電灯４３のランプ電圧をランプ電圧検出回路３目こて検出し、このランプ電圧値ほどの定格の放電灯かをランプ判定回路３２にて判定する。ランプ判定回路３２内では、前もって各ランプ電圧値に対応する放電灯の定格ランプ電流が流れる点灯周波数の対応表が設定されている。検出したランプ電圧値をもとにこの設定された対応表により、今装着されている放電灯はどの定格の放電灯かを特定し、前もって設定されている特定した放電灯に定格ランプ電流が流れる点灯周波数となるよう駆動回路３０の発振周波数を切り替える。このため、放電灯には定格ランプ電流が流れ、定格の明るさで点灯をすることができる。また、ランプ判定回路３２にて設定する対応表を各ランプ電圧値に対応する放電灯の調光特性（調光信号−点灯周波数）とすることで、調光タイプの放電灯点灯装置においても点灯直後の放電灯４３のランプ電圧を検出することにより、定格の異なった放電灯を適合放電灯としても、全ての放電灯を定格から所定の調光度まで制御することができる。
【０００６】
【発明の効果】
本発明によれば、放電灯の点灯直後のランプ電圧を検出し、どの定格の放電灯か判定することで定格の異なった放電灯が装着されても、今装着されている放電灯の定格のランプ電流を流し、定格の明るさで点灯させることができる。
【図面の簡単な説明】
【図１】本発明装置の回路図。
【図２】従来のインバータ装置の回路図。
【符号の説明】
１０：直流電源
２１，２２：スイッチング素子
２３，２４：フライホイールダイオード
３０：駆動回路
３１：ランプ電圧検出回路
３２：ランプ判定回路
４０：点灯回路
４１：バラスト用インダクタ
４２：共振用コンデンサ
４３：放電灯
４４：コンデンサ
【図１】
2004311367.tif 000003
【図２】
2004311367.tif 000004
(57)【要約】【課題】過天な外力を受けても器具は回転せず、充電部、即ちコネクタ部２８および電源接続部に異常な負荷が掛からず、製品の安全性の向上が図れる天井直付け形環状蛍光灯器具を提供する。【解決手段】天井面に固着される器具取付け用のアダプタ２０を備える。前記アダブタ２０を介して該天井面に装着される器具本体３０を備える。前記アダプタ２０はその側面から出没自在な一対の可動爪２５を具備する。前記器具本体３０の中央に前記アダプタ２０を受け入れ内周緑が前記各可動爪２５と着脱自在に係合する受け孔部３８を形成する。前記内周緑の一部に前記器具本体３０を垂直軸回りに回動させたときに前記可動爪２５に当たり更なる同方向へ回動を阻止するストッパー６０を設ける。【選択図】    図１
2004311363.tif 000002
【特許請求の範囲】
【請求項１】
天井面に固着される器具取付け用のアダプタを備え、前記アダブタを介して該天井面に装着される器具本体を備え、前記アダプタはその側面から出没自在な一対の可動爪を具備し、前記器具本体の中央に前記アダプタを受け入れ内周緑が前記各可動爪と着脱自在に係合する受け孔部を形成し、前記内周緑の一部に前記器具本体を垂直軸回りに回動させたときに前記可動爪に当たり更なる同方向へ回動を阻止するストッパーを設けたことを特徴とする天井直付け形環状蛍光灯器具。
【発明の詳細な説明】
【０００１】
【発明の属する技術分野】
本発明は、天井直付け形環状蛍光灯器具の器具接続部に配置する、器具の回転を防止するための回動防止構造に関する。
【０００２】
【従来の技術】
従来の製品では器具の回転を防止するために器具背面に発泡ゴム等のパンキンを配し天井造営材と圧接するように固定し、これらの摩擦抵抗によって回転を防止していた。
【０００３】
【発明が解決しようとする課題】
上記従来技術は、これまでの規格により、接続器を用いた場合５Ｎの力で回転しても充電部に異常がないこととなっていたものに対応した構造である。しかして、その後の規格改正で規格が強化され、２５Ｎの力で３６０度以上回転しないこととなった。この規格は、取付けの堅牢さもさることながら、充電部におよぶ外力の影響を規定したものである。従って、確実な回転防止方法が必要となった。本発明はこの難点を解決するものである。
【０００４】
【課題を解決するための手段】
本発明の天井直付け形環状蛍光灯器具の天井取付方法は、引掛けシーリングローゼットおよび埋め込みローゼットに容易に着脱できるアダプタ方式を採用している。アダプタにはローゼット取付用のかん合用爪と器具を保持するための２段の可動爪を一対設けている。
器具本体の取付けは、前記アダプタに器具本体中央に設けた円形孔を合わせ、押し上げて固定する方式である。本発明では、前記アダプタの可動爪と前記本体の円形孔をかん合させた時にできる円形孔の周囲のスペースに切起こしを設け、可動爪の回転を抑止して器具の回転を防止するものである。
【０００５】
【発明の実施の形態】
以下、図により説明する。図１に示すように本発明の天井直付け形環状蛍光灯器具はシーリングローゼット１０への取付けおよび器具本体３０を保持固定するためのアダプタ２０を有する。アダプタには、シーリングローゼット取付用のかん合爪２２と器具本体を保持するための可動爪２５を設けた。前記可動爪２５は、アダプタ本体の左右に一対設け、前後自在に可動し角型引掛けシーリングローゼット、埋め込みローゼットなどの高さが違うものに対応できるように２段となっている。また、アダプタ２０には、器具本体３０に電源を供給するための給電コネクタ２８を備える。
器具本体３０は、点灯装置類を搭載し、反射板３４で覆い、その中央部には前記アダプタと係合する円形孔３８を設けた。その周囲に電源受電用の受電コネクタ３６を酢した。その他の構成部品は、環状蛍光灯４０、器具本体３０を覆うセード５０により構成した。
図２は器具本体３０をアダプタ２０に取り付けた状態の器具本体中央部の拡大図である。器具本体の回動を抑止するため本体円形孔の周囲の干渉しないスペースに切起して成形したストッパー６０を設け、器具本体が回転しようとしても、アダプタの可動爪２５が当接して動かない構造とした。
【０００６】
【発明の効果】
上記、本発明によれば過天な外力を受けても器具は回転せず、充電部、即ちコネクタ部および電源接続部に異常な負荷が掛からないので、製品の安全性の向上が図れる。
【図面の簡単な説明】
【図１】本発明の天井直付け形環状蛍光灯器具の製品構成図である。
【図２】本発明の天井直付け形環状蛍光灯器具の器具中央部の拡大図である。
【符号の説明】
１０：シーリングローゼット  ２０：アダプタ  ２２：かん合爪  ２５：可動爪２８：給電コネクタ  ３０：器具本体  ３２：本体  ３４：反射板  ３６：受電コネクタ  ３８：円形孔  ４０：環状蛍光灯  ５０：セード  ６０：ストッパー
【図１】
2004311363.tif 000003
【図２】
2004311363.tif 000004
(57)【要約】      （修正有）【課題】照明器具を取付ける際に係止板を照明器具に取付けた状態でシステム天井用フレームに取付け、係止板の姿勢を照明器具で拘束することにより、省施工かつ照明器具を堅持に取付けれるようにする。【解決手段】システム天井用フレーム１と前記フレーム１に取付けされる照明器具を備える。前記フレーム１は下面開放形の長尺な部品である。前記フレーム１における両壁内面１１に隙間を挟んで相対向する突状を備える。前記隙間から差し込まれその後に姿勢を変えて前記両突状上に係合される係合板４を備える。前記器具本体２と前記係合板４との間に互いに着脱自在に嵌合する嵌合手段を形成する。該嵌合手段は前記係合板４が前記隙間を潜るときの姿勢では嵌合がなされず、前記嵌合がなされたときの姿勢であってかつ前記ボルト７が締め込まれたときに嵌合し、該嵌合によって前記係止板４の姿勢を拘束する回り止め形の凹凸嵌合構造である。【選択図】    図１
2004311364.tif 000002
【特許請求の範囲】
【請求項１】
システム天井用フレームと前記フレームに取付けされる照明器具を備え，前記フレームは下面開放形の長尺な部品であり、前記フレームにおける両壁内面に隙間を挟んで相対向する突状を備え、前記隙間から差し込まれその後に姿勢を変えて前記両突状上に係合される係合板を備え、前記係合板と前記照明器具の器具本体との間を着脱自在にねじ止めするボルトを備え、前記ボルトを前記器具本体の側から操作することが可能であり、また該操作によって前記係合板の前記姿勢を変えることが可能であり、前記器具本体と前記係合板との間に互いに着脱自在に骸合する骸合手段を形成し、該歓合手段は前記係合板が前記隙間を潜るときの姿勢では歓合がなされず、前記係合がなされたときの姿勢であってかつ前記ボルトが締め込まれたときに骸合し、該歓合によって前記係止板の姿勢を拘束する回り止め形の凹凸歓合構造としたことを特徴とするシステム天井用照明装置。
【発明の詳細な説明】
【０００１】
【発明の属する技術分野】
本発明は、システム天井用フレームに照明器具を取付ける構造に関し、照明器具を取付ける係合板の姿勢を照明器具で拘束することを目的とした、システム天井用照明装置に関するものである。
【０００２】
【従来の技術】
従来のシステム天井用照明装置は図７〜図１２のような構造である。従来装置は、システム天井用フレームの両壁内面に隙間を挟んで相対向する突状上に係合板を乗せ、システム天井用フレームの両壁内面に係合板を当てて係止板の姿勢を拘束し、係止板に照明器具を取付ける構造であった。
【０００３】
【発明が解決しようとする課題】
本発明の目的は、システム天井用照明装置において、照明器具を取付ける際に係止板を照明器具に取付けた状態でシステム天井用フレームに取付け、係止板の姿勢を照明器具で拘束することにより、省施工かつ照明器具を堅持に取付けることにある。
【０００４】
【課題を解決するための手段】
上記目的を達成するために、システム天井用フレームと前記フレームに取付けされる照明器具を備え、前記フレームにおける両壁内面に隙間を挟んで相対向する突状を備え，前記隙間から差し込まれその後に姿勢を変えて前記両突状上に係合される係合板を備え、前記係合板と前記照明器具の器具本体との間を着脱自在にねじ止めするボルトを備え、前記ボルトを前記器具本体の側から操作することが可能であり、また該操作によって前記係合板の前記姿勢を変えることが可能であり、該鰍合手段は前記係合板が前記隙間を潜るときの姿勢では骸合がなされず、前記係合がなされたときの姿勢であってかつ前記ボルトが締め込まれたときに鉄合し、該骸合によって前記係止板の姿勢を拘束する回り止め形の凹凸歓合構造としたことで前記照明器具を省施工かつ堅持に取付けることができ、これにより目的は達成される。
【０００５】
【発明の実施の形態】
本発明の実施形態について説明する。本発明にかかる図１〜図６において、システム天井用フレーム１に照明器具２を取付けの際、前記システム天井用フレーム１は両壁内面１１に隙間を挟んで相対向する突状１０を備え、前記照明器具２は前記両突状１０の上に係合される係合板４を備え、前記係止板４の姿勢を拘束する回り止め形の凹凸歓合構造５を備え、前記係止板４を固定するボルト７を備えており、前記係止板４を前記凹凸歓合構造５の上に骸合されない状態で、かつ前記前記システム天井用フレーム１の両壁内面１１に隙間を通る状態で前記照明器具２に固定し、図２から図３の前記システム天井用フレーム１の前記突状１０に当てる。
図４で前記ボルト７を前記照明器具２の側から操作することで前記係止板４を回転させ、図５の前記システム天井用フレーム１の突状１０の上に前記係止板４を乗せ、かつ前記照明器具２の前記凹凸鰍合構造５に前記係止板４を恢合させる。この状態で図６の前記ボルト７を下に引きながら締めることで、前記照明器具２は前記突状１０を挟んで前記係止板４により前記システム天井用フレーム１に取付けられる。前記ボルト７が締め込まれたときに前記係止板４と前記照明器具２が談合し、該歌合によって前記係Ｔと板４の姿勢を拘束したことで前記照明器具を省施工かつ堅持に取付けることができる。
【０００６】
【発明の効果】
本発明によれば、システム天井用照明装置において、照明器具の取付け方法を省施行化することができ、さらに堅持に取付けることもできる。
【図面の簡単な説明】
【図１】本発明装置の斜視図
【図２】その取付経過図１
【図３】その取付経過図２
【図４】その取付経過図３
【図５】その取付経過図４
【図６】その取付経過図５
【図７】従来装置の取付経過図１
【図８】その取付経過図２
【図９】その取付経過図３
【図１０】その取付経過図４
【図１１】その取付経過図５
【図１２】その取付経過図６
【符号の説明】
１．システム天井用フレーム
２．照明器具
３．ソケット
４．係合板
５．凹凸恢合構造（照明器具）
６．凹凸歓合構造（係止板）
７．ボルト
８．取付穴
９．ボルト用ねじ穴
１０．システム天井用フレームの相対向する突状
１１．システム天井用フレームの両壁内面
【図１】
2004311364.tif 000003
【図２】
2004311364.tif 000004
【図３】
2004311364.tif 000005
【図４】
2004311364.tif 000006
【図５】
2004311364.tif 000007
【図６】
2004311364.tif 000008
【図７】
2004311364.tif 000009
【図８】
2004311364.tif 000010
【図９】
2004311364.tif 000011
【図１０】
2004311364.tif 000012
【図１１】
2004311364.tif 000013
【図１２】
2004311364.tif 000014
(57)【要約】      （修正有）【課題】外観が板状を呈した板面から光が出る面形蛍光ランプにおいて、効率の良い形配光を得る。また、蛍光ランプや点灯回路部品から発生する熱を効果的に器具外に放出させて効率的な発光を得る。【解決手段】一対の蛍光ランプ３０を備え、前記各蛍光ランプ３０は全体が長板状を呈しその仮面が発光面となる面形の蛍光ランプ３０であり、別記器具本体１０は天面板とその両側から裾広が状に垂下する各側面板１３を含む逆樋状を呈する部品であり、ランプ取付け板２０を備え、前記ランプ取付け板２０は断面がほぼＶ字形の樋状を呈する部品であり、前記器具本体１０の前記天面板に前記ランプ取付け板２０の一対の上緑が接するようにそれらを組合わせ、前記天面板１１と前記ランプ取付け板２０間に内外に運通する通気孔を形成し、前記蛍光ランプ３０の熱の一部を前記通気孔を介して排出する。【選択図】    図１
2004311378.tif 000002
【特許請求の範囲】
【請求項１】
一対の蛍光ランプを備え、前記各蛍光ランプは全体が長板状を呈しその下面が発光面となる面形の蛍光ランプであり、室内高所に配置する器具本体を備え、前記器具本体は天面板とその両側から裾広が状に垂下する各側面板を含む逆樋状を呈する部品であり、ランプ取付け板を備え、前記ランプ取付け板は断面がほぼＶ字形の樋状を呈する部品であり、前記器具本体の前記天面板に前記ランプ取付け板の一対の上緑が接するようにそれらを組合わせ、前記天面板・前記ランプ取付け板間に内外に運通する通気孔を形成し、前記ランプ取付け板の各側面に前記各蛍光ランプを装着し、前記各蛍光ランプの熱の一部を前記通気孔を介して排出し、前記通気孔の箇所に前記各蛍光ランプを点灯するための点灯回路部品を装着したことを特徴とする面形蛍光灯器具。
【請求項２】
面形蛍光ランプの取付け側の面の内面には、光を効率的に反射させる反射面を設けかつその面に発光を励起する蛍光体を塗布し発光させる構成とした請求項１記載の面形蛍光ランプ。
【発明の詳細な説明】
【０００１】
【発明の属する技術分野】
本発明は蛍光ランプを使用する照明器具に関するものである。
【０００２】
【従来の技術】
従来技術には、液晶のバックライト等に用いられる小形の面光源はあったが、外観が板状を呈した長板状な面形蛍光ランプを使用した照明器具は無かった。
【０００３】
【発明が解決しようとする課題】
外観が板状を呈した板面から光が出る面形蛍光ランプにおいては、管形蛍光ランプに比べ光拡散を防止できるが光出力を補う為、効果的に複数個の面光源を組合わせる必要がある。本発明はその難点を解決するものである。
【０００４】
【課題を解決するための手段】
上記問題を解決するため、外観が板状を呈し板面から光が出る両形蛍光ランプから発生する光の一部をもう一方の板面で反射させる反射面を設け、略Ｖ字形のランプ取り付け板の各側面に面形蛍光ランプを取付け、Ｖ字形のランプ取付け板と天面板との間だに内外に運通する通気孔を形成し、蛍光ランプの熱の一部を通気孔を介して排出し、通気孔の箇所に面形蛍光ランプを点灯させる点灯回路を装着した。
【０００５】
【発明の実施の形態】
図１〜４を用いて、本発明の実施形態について説明する。図示の面形蛍光灯器具は一対の蛍光ランプ３０を備え、前記各蛍光ランプ３０は全体が長板状を呈し、その板面が発光面となる面形の蛍光ランプであり、室内高所に配置する器具本体１０を備え、前記器具本体１０は天面板１１とその両側から裾広が状に垂下する各側面板１３を含む逆樋状を呈する部品であり、ランプ取付け板２０を備え、前記ランプ取付け板２０は断面がほぼＶ字形の樋状を呈する部品であり、前記器具本体１０の前記天面板１１に前記ランプ取付け板２０の一対の上緑２１が接するようにそれらを組合わせ、前記天面板１１・前記ランプ取付け板２０間に内外に運通する通気孔２１，１２を形成し、前記ランプ取付け板２０の各側面に前記各蛍光ランプ３０を装着し、前記各蛍光ランプ３０の熱の一部を前記通気孔２１，１２を介して排出し、前記通気孔の箇所に前記各蛍光ランプ３０を点灯するための点灯回路部品４０を装着したことを特徴とする。
面形蛍光ランプの取付け側の面の内面には、光を効率的に反射させる反射面３１を設けかつその面に発光を励起する蛍光体を塗布しより効果的に全面に発光させる構成とした。
【０００６】
【発明の効果】
外観が板状を呈した板面から光が出る面形蛍光ランプにおいて、通常任意の被照射面に光・を向けられるのは片側の板面から発生する光のみである為、もう一方の板面を発光面兼反射面とすることで発生する光を有効に板面より発光させると伴に光拡散を防止して効率的に全般照明として効率の良いおむすび形配光を得ることができる、蛍光ランプや点灯回路部品から発生する熱を効果的に器具外に放出させて効率的な発光を得ることができる。
【図面の簡単な説明】
【図１】本発明器具の斜視図
【図２】その断面図
【図３】その予想鉛直面配光曲線の例示
【図４】その面形蛍光ランプの断面図
【符号の説明】
１０．．．器具本体
１１．．．器具本体の天面板
１２．．．器具本体の天面放熱孔
１３．．．器具本体の側面板
２０．．．ランプ取り付け板
２１．．．ランプ取り付け板の放熱孔
３０．．．面形蛍光ランプ
３１．．．面形蛍光ランプの反射面
４０．．．点灯回路部品
【図１】
2004311378.tif 000003
【図２】
2004311378.tif 000004
【図３】
2004311378.tif 000005
【図４】
2004311378.tif 000006
(57)【要約】【課題】従来技術の問題点であった、交換部品である点灯装置等を取外す作業を廃止することによる補修作業の簡素化を図る。【解決手段】照明器具本体１０に取付けてある交換部品である既存の点灯装置等を器具本体１０に取付けたまま（残したまま）、補修用点灯装置３０等を取付けた補修部品板２０を器具本体１０に取付ける。【選択図】    図３
2004311374.tif 000002
【特許請求の範囲】
【請求項１】
下向きに開放する箱形の器具本体を備え、前記器具本体の天面板に該器具本体をねじ止めするための受け孔を形成し、前記天面板に電源配線を受ける電源受け孔を形成し、前記天面板の下面に固着した第１点灯装置および該第１点灯装置のための第１端子台を備え、前記第１点灯装置・第１端子台の全体を下側から覆う補修部品板を備え、前記補修部品板に前記受け孔と共に纏めてねじ止めされる補助受け孔を形成し、前記補修部品板に電源配線を受ける補助電源受け孔を形成し、前記補修部品板の下面に固着した第２点灯装置および該第２点灯装置のための第２端子台を備え、前記電源配線を前記電源受け孔を介しかつ前記補助電源受け孔を介して前記第２端子台に接続し、該電源配線と前記第１端子台との間の接続を省略したことを特徴とする蛍光灯器具
【発明の詳細な説明】
【０００１】
【発明の属する技術分野】
本発明は照明器具の補修用点灯装置の取付構造に関する。
【０００２】
【従来の技術】
従来の技術では点灯装置等の電気部品を交換するためには、天井面に取付けてある照明器具本体を取付ボルト等より取外したのち、照明器具本体にねじ止め等で固着された交換する既存の点灯装置を本体より取外し、新たに補修部品である点灯装置等を照明器具本体に取付ける必要があつた。
【０００３】
【発明が解決しようとする課題】
上記従来技術の問題点であった、交換部品である点灯装置等を取外す作業を廃止することによる補修作業の簡素化を図る。
【０００４】
【課題を解決するための手段】
上記目的を解決する為に、照明器具本体に取付けてある交換部品である既存の点灯装置等を器具本体に取付けたまま（残したまま）、補修用点灯装置等を取付けた補修部品板を器具本体に取付ける。
【０００５】
【発明の実施の形態】
図１・図２に示す通り天井などに既設された下向きに開放する箱形の器具本体１０は、天井などに器具本体１０を取付ボルト７０などにより装着するための本体取付孔１２および電源配線８０を貫通させる電源孔１４を器具本体１０の天面板に形成しており、前記天面板の下面に固着された点灯装置５０、点灯装置５０に電源供給（中継）する端子台５２および、ランプソケット５４により構成されている。
前記既設された照明器具の電気部品である点灯装置５０・端子台５２・ランプソケット５４は、板金などで構成された器具本体１０より一般的に寿命は短く前記電気部品のみを交換する場合を以下説明する。
図３・図４・図５に示す通り器具本体１０に固着されている既存の点灯装置５０からランプソケットに５４に至るランプ線を切断してランプソケット５４を器具本体１０より取外し、電源ケーブル８０を端子台５２より取外し（切断）て、点灯装置５０・端子台５２を器具本体１０より取外さず残したまま、点灯装置５０・端子台５２の全体を下側から覆うように器具本体１０天面板下面に固着可能な補修部品取付板２０にはあらかじめ補修用点灯装置３０・補修用端子台３２を固着し、補修用点灯装置３０と補修用端子台３０を電源線により配線し、かつ補修用点灯装置３０と補修用ランプソケット３４とをランプ線により配線しておく。
器具本体１０を天井などに装着するための本体１０に形成された本体取付孔１２を介する取付ボルト７０の位置に受け孔２２を補修部品取付板２０に形成しすることにより、器具本体１０を天井面９０より下ろすことなく、取付ナット７２を取付ボルト７０より緩め補修部品取付板２０を器具本体１０を介した取付ボルト７０に受け孔２２を位置合わせしたのち、器具本体１０と補修部品取付板２０を共に締め付け、器具本体１０に補修部品取付板２０を固着したのち補修用ランプソケット３４の取付けを行う。端子台５２より取外した電源ケーブル８０を、補修部品板２０に形成された補助電源孔２４を介し、補修部品板２０に固着された補修用端子台３２に接続することにより補修用点灯装置３０への電源供給を可能とする。
【０００６１】
【発明の効果】
本発明によれば、照明器具の電気部品の補修作業を容易にすると共に、電気部品より製品寿命の長い本体などの板金部品をそのまま利用でき資源の有効活用が図れる。
【図面の簡単な説明】
【図１】従来技術を示す断面図
【図２】従来技術を示す側面図
【図３】本発明技術を示す断面図
【図４】本発明技術を示す側面図
【図５】本発明技術を示す補修部品板斜視図
【符号の説明】
１０．．．照明器具本体
１２．．．器具本体天面に形成された本体取付孔
１４．．．器具本体天面に形成された電源孔
２０．．．補修部品取付板
２２．．．補修部品取付板に形成された受け孔
２４．．．補修部品取付板に形成された補助電源孔
３０．．．補修用点灯装置
３２．．．補修用電源端子台
３４．．．補修用ランプソケット
５０．．．交換用点灯装置
５２．．．交換用電源端子台
５４．．．交換用ランプソケット
６０．．．蛍光ランプ
７０．．．器具本体を取付る取付ボルト
７２．．．器具本体を取付る取付ナット
８０．．．電源ケーブル
９０．．．天井（建築材）
【図１】
2004311374.tif 000003
【図２】
2004311374.tif 000004
【図３】
2004311374.tif 000005
【図４】
2004311374.tif 000006
【図５】
2004311374.tif 000007
(57)【要約】【課題】固定部の下側が少スペースでも固定できるクランプ台を提供する。【解決手段】電気スタンド等の機器１０を机の緑等の被扶持部に固着するクランプ台２００において、前記機器１０の基部１１に連結する上部部材２２０を備え、前記上部部材２２０に前記被挟持部の上面に当接する上側当接部２２１が附属し、前記上部部材２２０と上下動可能なように係合する下側部材２３０を備え、前記下側部材２３０に前記被挟持部を迂回してその下面に当接する下側当接部２３１が附属し、前記被挟持部の上側に位置し前記上部部材２２０・下側部材２３０に作用して前記上側から上側当接部２２１・下側当接部２３１の間隔を調整する調整用ナット２５０を備え、前記調整用ナット２５０を回動して前記上側当接部２２１・下側当接部２３１にて前記被扶持部を挟持する。【選択図】    図１
2004311376.tif 000002
【特許請求の範囲】
【請求項１】
電気スタンド等の機器を机の緑等の被扶持部に固着するクランプ台において、前記機器の基部に連結する上部部材を備え、前記上部部材に前記被挟持部の上面に当接する上側当接部が附属し、前記上部部材と上下動可能なように係合する下側部材を備え、前記下側部材に前記被挟持部を迂回してその下面に当接する下側当接部が附属し、前記被挟持部の上側に位置し前記上部部材・下側部材に作用して前記上側ら上側当接部・下側当接部の間隔を調整する調整用ナットを備え、前記調整用ナットを回動して前記上側当接部・下側当接部にて前記被扶持部を挟持することを特徴とするクランプ台。
【発明の詳細な説明】
【０００１】
【発明の属する技術分野】
本発明は電気スタンドにおける固定用クランプ台の構造に関する。
【０００２】
【従来の技術】
従来、クランプ付き電気スタンドの固定はクランプ台の下側に締め付け固定具が付いていて下側から締め上げるように固定していた
【０００３】
【発明が解決しようとする課題】
上記従来技術は電気スタンド等のクランプで固定する際、机や台の縁の下側に十分なスペースが無ければ固定具の締め付けができない問題があつた。
本発明の目的は固定部の下側が少スペースでも固定できることにある。
【０００４】
【課題を解決するための手段】
上記目的を達成するために、電気スタンド等の基部に連結する上部部材を備え、前記上部部材に前記被挟持部の上面に当接する上側当接部が附属し、前記上部部材と上下動可能なように係合する下側部材を備え、前記下側部材に前記被挟持部を迂回してその下面に当接する下側当接部が附属し、前記被挟持部の上側に位置し前記上部部材・下側部材に作用して前記上側当接部Ｏ下側当接部の間隔を調整する調整用ずツトを備え、前記調整用ナットを回動して前記上側当接部・下側当接部にて前記被挟持部を挟持することで被挟持部下側が少スベースでも固定できるようにしたものである。
【０００５】
【発明の実施の形態】
以下、本発明の一実施例を図１により説明する。電気スタンド等機器節はクランプ台２００に基部＝で連結する。前記クランプ台２００は前記基部１１と連結する上部部材２２０と被狭持部４０に上面に当接する上側当接部２２１があり前記被狭持部４０の下側に当接する下側当ん接部２３１は下側部材２３０に付属する。
図２により上記下側部材２３０は半円でねじ溝がありねじ満のない上記上部部材２２０と合わさり調整用ナット−５０が回勤することでねじ溝のある上記下側部材２３０だけが上下して上記被狭持部４０に上記下側当接部２３１を狭持させる。上記調整ナット５０は上記上側部材２２０の外側で空回りし上記上側当接部２２１を上記被狭持部４０に押し付けることが出来るので上記被狭持部４０の下側が少スベースでも狭持できるので取り付け場所の少スベ”ス化に効果がある。
【０００６】
【発明の効果】
本発明によれば電気スタンドをクランプにより固定する際、クランプの固定調整が被狭持部より上側にあり前記クランプの固定呉下側が小型であるため少スペースに容易に固定できる。
【図面の簡単な説明】
【図１】本発明に係るクランプ台の斜視図
【図２】その断面図
【符号の説明】
１０．．．機器、１１．．．基部、２００．．．クランブ台、２２０．．．上部部材、２２１．．．上側当接部、２３０．．．下側部材、２３１．．．下側当接部、４０．．．被狭持部、２５０．．．調整用ナット
【図１】
2004311376.tif 000003
【図２】
2004311376.tif 000004
(57)【要約】【課題】器具上方への配光を確保し、セード２０の蛍光ランプへの過接近を防止する。【解決手段】上飾り３０にセード２０と器具本体１０を固定する機能を持たせる。上飾り３０にセード２０と器具本体１０を固定する機能を持たせることにより、セード２０のズレ・傾きを防止する。【選択図】    図１
2004311375.tif 000002
【特許請求の範囲】
【請求項１】
水平に配置される器具本体を備え、前記器具本体の上面中央に配置され吊下げコードの余長を納めるコード収納ケースを備え、前記器具本体上に中央孔周縁部が載置されるセードを備え、前記セードにおける前記中央孔周縁部を跨ぐように乗り中央個所が前記コード収納ケースと着脱自在に係合する上飾りを備えたことを特徴とする環状蛍光灯器具。
【発明の詳細な説明】
【０００１】
【発明の属する技術分野】
吊り下げ形環状蛍光灯器具の上飾り構造に関する。
【０００２】
【従来の技術】
図２に示すように、従来の吊り下げ形環状蛍光灯器具は器具上方への配光の必要性から、環状蛍光ランプ外周径より小径の器具本体を採用している。
また、従来の上飾りは、二つ割りの飾りで吊り下げコードを挟みこみ取り付けているが、吊り下げコードに沿っての上下動は自由であり、固定はされていない。
【０００３】
【発明が解決しようとする課題】
従来、吊下げ形環状蛍光灯器具は器具上方への配光の必要性から、蛍光ランプ外周径より小径の器具本体を採用しているため、セードが傾いた場合、セード内面が蛍光ランプ高温部に接近し熱変形する恐れがある。
本発明の目的は、器具上方への配光を確保し、セードの蛍光ランプへの過接近を防止することにある。
【０００４】
【課題を解決するための手段】
目的を達成する為、上飾りにセードと器具本体を固定する機能を持たせる。上飾りにセードと器具本体を固定する機能を持たせることにより、セードのズレ・傾きを防止する。
【０００５】
【発明の実施の形態】
図１を用いて本発明の実施形態について説明する。本発明の前提は、水平に配置される器具本体１０を備え、前記器具本体１０の上面中央に配置され吊下げコード１１の余長を納めるコード収納ケース１２を備え、前記器具本体ＬＯ上に中央孔周縁部が載置されるセード２０を備え、前記セード２０における前記中央孔周縁部を跨ぐように乗る上飾り３０を備えた環状蛍光灯器具である。図１に示すように、上飾り３０の中央個所に前記コード収納ケースＬ２と着脱自在に係合するツメ３１を設ける。
セード２０取付後、上飾り３０をツメ３靖こよりコード収納ケース１２に取り付けることにより、セード２０は上飾り３０を介して器具本体１０に固定される。かくして、図２に示す従来技術の上飾り３２のような吊り下げコード１届こ沿っての上下動が制限される。
【０００６】
【発明の効果】
本発明によれば、上飾りにセードと器具本体を固定する機能を持たせることにより、セードのズレ・傾きを防止し、セード内面と蛍光ランプの過接近によるセードの熱変形を防ぐことができるので安全性・信頼性の向上に効果がある。
【図面の簡単な説明】
【図１】本発明による実施例を示す断面図。
【図２】従来技術の上飾りによるセードのズレを説明する断面図。
【符号の説明】
１０．．．器具本体  １１．．．吊下げコード  １２．．．コード収納ケース  ２０．．．セード３０．．．上飾り  ３１．．．ツメ  ３２．．．従来技術の上飾り
【図１】
2004311375.tif 000003
【図２】
2004311375.tif 000004
(57)【要約】      （修正有）【課題】ねじを使用しドライバ−などの工具で反射板に取付けるのではなく、ワンタッチで反射板に取付けが完了するようるこして施行性を向上させた長尺ランプの防振ホルダーを有する蛍光灯器具を提供する。【解決手段】一面開放形の断面コ字状の器具本体を備え、前記器具本体の開放面側を全面的に覆うようるこ配置される略逆笠形断面の反射板２を備え、前記反射板２の表面にホルダー１個に対し１対の骸合穴２１を形成し、略Ｕ字形ホルダー３の自由端側にはランプを着脱自在にでき、ゆれを抑える弾性を有するランプ保持部分３３を形成し、Ｕ字の底部は自由端側に凸形状とし、反射板２の歓合穴２１に係合する過程において、凸形状となっているＵ字の底部が先に反射板内面に突き当り、更にＵ字の底部両端３４を押しつづけるとホルダー３のＵ字の立上り部に設けた係止爪３２が反射板２の板厚を乗り越えて係合されるようにホルダー３の形状を定める。【選択図】    図２
2004311371.tif 000002
【特許請求の範囲】
【請求項１】
一面開放形の断面コ字状の器具本体を備え、前記器具本体の開放面側を全面的に覆うように配置される笠形断面の反射板を備え、前記器具本体に前記反射板を着脱自在に装着する化粧ねじを備え、長尺な蛍光ランプの略中央部でランプのゆれ・振動を抑える略Ｕ字形ホルダーを備える蛍光灯器具において、前記反射板の表面にホルダー１個に対し１対の妖合穴を形成し、略Ｕ字形ホルダーの自由端側にはランプを着脱自在にでき、ゆれを抑える弾性を有するランプ保持部分を形成し、Ｕ字の底部から立上る部分に反射板の穴に係合させる係止爪を形成し、Ｕ字の底部は自由端側に凸形状とし、反射板の骸合穴に係合する過程において、凸形状となっているＵ字の底部が先に反射板内面に突き当り、更にＵ字の底部両端を押しつづけるとホルダーのＵ字の立上り部Ｉこ設けた係止爪が反射板の板厚を乗り越えて係合されるよ引こホルダ一の形状を定めたことを特徴とする蛍光灯器具。
【発明の詳細な説明】
【０００１】
【発明の属する技術分野】
本発明は、ランプのゆれを抑える略Ｕ字形ホルダーを有する蛍光灯器具において、ホルダーを反射板にがたつきなく固定する取付け構造に関するものである。
【０００２】
【従来の技術】
従来は、Ｕ字の底部とＵ字の立上り部に設けた係止爪との間に設けられた空間に反射板の板厚が挟み込まれ、ホルダ−が固定される構造であった為、前記空間と板厚の寸法誤差を考慮し、前記空間に板厚以上の寸法余裕を持たせていたため、取付け後もホルダ−にがたつきが生じていた。
略Ｕ字形ホルダーは、長尺な蛍光ランプを保持し固定することを目的としており、がたつきのあるホルダ−ではランプ保持の信頼性がかけていた。
【０００３】
【発明が解決しようとする課題】
本発明の目的は、反射板に取付けたホルダーのがたつきを防止し長尺な蛍光ランプを保持し固定する信頼性を向上させた蛍光灯器具を提供することにある。
【０００４】
【課題を解決するための手段】
上記目、的を達成するために、一面開放形の断面コ字状の器具本体を備え、前記器具本体の開放面側を全面的に覆うようるこ配置される略逆笠形断面の反射板を備え、前記器具本体に前記反射板を着脱自在に装着する化粧ねじを備え、長尺な蛍光ランプの略中央部でランプのゆれ・振動を抑える略Ｕ字形ホルダーを備える蛍光灯器具において、前記反射板の表面にホルダー１個に対し１対の骸合穴を形成し、略Ｕ字形ホルダーの自由端側にはランプを着脱自在にでき、ゆれを抑える弾性を有するランプ保持部分を形成し、Ｕ字の底部は自由端側に凸形状とし、反射板の歓合穴に係合する過程において、凸形状となっているＵ字の底部が先に反射板内面に突き当り、更にＵ字の底部両端を押しつづけるとホルダーのＵ字の立上り部に設けた係止爪が反射板の板厚を乗り越えて係合されるようにホルダーの形状を定めた。
【０００５】
【発明の実施の形態】
図１から図５を用いて、本発明の実施形態について説明する。図示の蛍光灯器具は、一面開放形の断面コ字状の器具本体１を備え、前記器具本体１の開放面側を全面的に覆うように配置される笠形断面の反射板２を備え、前記器具本体１に前記反射板２を着脱自在に装着する反射板取付用の化粧ねじ５を備え、一対のランプソケットで保持される長尺な蛍光ランプ６の略中央部でランプのゆれ・振動を抑える弾性を有する略Ｕ字形ホルダー３を備える。
反射板２のほぼ中央部にホルダーを取付けるための恢合穴２１を設け、略Ｕ字形ホルダー３にはランプ支持部３３、反射板へホルダーを固定する係止爪３２、を備える。弾性を有する略Ｕ字形ホルダー３を反射板の内側より歓合穴２１に挿入していくと、Ｕ字の底部３１が先に反射板２内面に突き当り、更に弾性を有するＵ字の底部両端３４を押しつづけるとホルダーのＵ字の立上り部に設けた係止爪３２が反射板２の板厚を乗り越えて歓合係合され、ホルダーの固定が完了する。このとき、Ｕ字の底部３耳湖底部両端３４の弾性の反発により凸部が反射板２内面を押し戻し、その結果係止爪３２が反射板２に押付けられがたつきなくホルダーが固定される。
蛍光ランプ６を装着すると、ランプがホルダーの支持部３３で支持されランプのゆれ・振動を抑えることができる。以上により、ランプを確実に保持し固定する信頼性を向上させた、略Ｕ字形ホルダー３を有した蛍光灯器具を提供できる。
【０００６】
【発明の効果】
本発明によれば、長尺な蛍光ランプの略中央部でランプのゆれ・振動を抑える弾性を有する略Ｕ字形ホルダーをがたつきなく反射板に固定できるため、ランプを確実に保持し固定する信頼性を向上させた蛍光灯器具を提供できる。
【図面の簡単な説明】
【図１】本発明によるホルダーと反射板の歓合前の要部斜視図である。
【図２】本発明によるホルダーと反射板の妖合時の断面図である。
【図３】本発明品使用の器具外観図である。
【図４】従来技術による１例を示すホルダーと反射板の歓合前の要部斜視図である。
【図５】従来技術による１例を示すホルダーと反射板の骸合時の断面図である。
【符号の説明】
１：器具本体、２：反射板、２１：歓合穴、３：略Ｕ字形ホルダー、３１：底部、３２：係止爪、３３：ランプ支持部、３４：底部両端、５：化粧ねじ、６：蛍光ランプ
【図１】
2004311371.tif 000003
【図２】
2004311371.tif 000004
【図３】
2004311371.tif 000005
【図４】
2004311371.tif 000006
【図５】
2004311371.tif 000007
(57)【要約】【課題】挟み工具４０による係止片２２３の折り曲げ動作（４１）により、端板１０と器具本体２０の外力によるズレをおさえた歓合が可能となる直管形蛍光灯器具を提供する。【解決手段】器具本体２０反射板部２２の係止片２２３の反射天面部２２１側に切り欠き２２４をそれぞれ設け、端板１０の反射端板部２１に前記係止片２２３が挿入できる係止スリット１２３を設ける。また、端板１０には挟み工具４０を挿入可能なスキ間１３を設ける。これにより、反射端板部２１の係止スリット１２３より挿入した反射部２２の係止片２２３を挟み工具４０により挟み持ち、端板１０のスキ間１３に沿って動かすことにより、係止片２２３の折り曲げができ端板１０との嵌合が可能となる。【選択図】    図１
2004311372.tif 000002
【特許請求の範囲】
【請求項１】
長尺な器具本体の端面に位置する本体端板を備え、長尺な反射板の端面に位置する反射板端板を備え、前記本体端板・反射板端板は前者が外側で後者が内側となるようにスキ間を介して対面し、前記反射板は天面部とその両側から裾広がりに延在する一対の斜面部を含む逆樋状を呈し、前記反射板端板に前記天面部・各斜面部の緑に重なる折曲片が附属し、前記各斜面部にその緑から延在する係止片が附属し、前記反射板端板における前記係止片との対向位置に該係止片を受け入れる係止スリットを形成し、前記係止片の一部に該係止片先端部を折り曲げるための切り欠きを形成し、挟み工具を前記スキ間に差し込んで該係止片先端部を挟持しその状態で該挟み工具を前記スキ間に沿って動かすことによって前記係止片先端部の折り曲げがなされそれによって反射板端板との結合がなされるように前記係止片先端部の前記折り曲げ形態を定めたことを特徴とする直管形蛍光灯器具。
【発明の詳細な説明】
【０００１】
【発明の属する技術分野】
本発明は、外観意匠を悪化することの無い嵌合構造に関する。
【０００２】
【従来の技術】
従来の技術では、嵌合部の係止片を上下方向に曲げる構造としていたが、係止片の曲げ部はＲ面曲げとなり、端板への強い衝撃等外力により外力方向にズレが生じたり、係止片の曲げ作業のバラツキにより器具本体との間に若干のスキ間が生じ、外観をそこなう問題がある。
【０００３】
【発明が解決しようとする課題】
本発明によれば、器具本体の反射部の係止片に切り欠きを設けることにより、挟み工具を使用し、前記係止片を挟み持ち、端板のスキ間に沿って動かすことにより、係止片が折り曲げられ器具本体と端板との嵌合ができ、外力による端板のズレをおさえることが可能となる。
【０００４】
【課題を解決するための手段】
上記目的を達成するために、器具本体反射板部の係止片の反射天面部側に切り欠きをそれぞれ設け、端板の反射端板部に前記係止片が挿入できる係止スリットを設ける。また、端板には挟み工具を挿入可能なスキ間を設ける。これにより、反射端板部の係止スリットより挿入した反射部の係止片を挟み工具により挟み持ち、端板のスキ間に沿って動かすことにより、係止片の折り曲げができ端板との嵌合が可能となる。
【０００５】
【発明の実施の形態】
以下、本発明の実施例を図１〜２にて説明する。図１は本発明嵌合構造採用の直管形蛍光灯器具を示し、長尺な本体部２１と反射部２２からなる器具本体２０と、その両端部に本体端板ゞ＝と反射端板１２からなる端板１０により構成される。
図２は本体歓合構造部の詳細図（Ａ矢視図）を示し、端板１０の本体端板１１と反射端板１２の間には、挟み工具４０が差し込めるスキ間Ｌ３が設けられ、反射端板１２の反射端板傾斜部１２２には器具本体２０の反射傾斜部２２２の係止片２２３を挿入可能な係止スリット１２３が設けてある。端板１０に器具本体２０を矢印２２５方向に動かし反射傾斜部２２２の係止片２２３を端板１０の係止スリット１２３に挿入する。その後、挟み工具４０でスキ間１３に突出した係止片２２３を挟み持ち、矢印４１の方向に挟み工具４０を動作することにより、係止片２２３が切り欠き２２４により容易に折り曲げでき、端板１０の嵌合が可能となる。また、切り欠き２２４により、折り曲げ後係止片２２３の断面が反射端板１２を押える為、外力による端板１０のズレをおさえることができる。
【０００６】
【発明の効果】
本発明によれば、挟み工具による係止片の折り曲げ動作により、端板と器具本体の外力によるズレをおさえた歓合が可能となる。
【図面の簡単な説明】
【図１】本発明嵌合構造採用の直管形蛍光灯器具
【図２】本体嵌合構造部の詳細図（Ａ矢視図）
【図３】従来嵌合構造部の詳細図
【符号の説明】
１０：端板、１１：本体端板、２１：反射端板、１２１：反射端板天面部、１２２：反射端板傾斜部、１２３：係止スリット、１３：端板スキ間、
２０：器具本体、２１：本体部、２２：反射部、２２１：反射天面部、２２２：反射傾斜部、２２３：係止片、２２４：切り欠き、２２５：係止片挿入動作、
２２６：従来係止片、２２７：係止Ｒ面曲げ部、３０：蛍光ランプ、４０：挟み工具、４１：工具による折り曲げ動作、４２：従来工具による折り曲げ動作
【図１】
2004311372.tif 000003
【図２】
2004311372.tif 000004
【図３】
2004311372.tif 000005